(57)【要約】【課題】水栓の構造を簡素化し、組付性を向上させることができる。【解決手段】水栓１０は、周面に第１吐出口２１と第２吐出口２２を有する筒状のボデー２０と、ボデー２０の内部に配置されて第１吐出口２１と第２吐出口２２からの吐止水を切り換える切換弁４０とを備える。切換弁４０は、周面に第１流路穴４１と第２流路穴４２を有する筒状の本体部４０Ａと、本体部４０Ａの周面から突出して第２吐出口２２内に挿入されるとともに、ボデー２０の内周と本体部４０Ａの外周との間の空間を、第１流路穴４１から第１吐出口２１へ流れる外側流路と、第２流路穴４２から第２吐出口２２へ流れる内側流路とに区画する区画管４４とを備える。【選択図】図６
2018096498.tif 000002
【特許請求の範囲】
【請求項１】
周面に第１吐出口と第２吐出口を有する筒状のボデーと、前記ボデーの内部に配置されて前記第１吐出口と前記第２吐出口からの吐止水を切り換える切換弁とを備える水栓において、
前記切換弁は、周面に第１流路穴と第２流路穴を有する筒状の本体部と、前記本体部の周面から突出して前記第２吐出口内に挿入されるとともに、前記ボデーの内周と前記本体部の外周との間の空間を、前記第１流路穴から前記第１吐出口へ流れる外側流路と、前記第２流路穴から前記第２吐出口へ流れる内側流路とに区画する区画管とを備えることを特徴とする水栓。
【請求項２】
前記区画管は、前記本体部と別体に形成された区画部材により構成されるとともに、前記本体部に対して前記第２吐出口を介して前記ボデーの外側から取り付け可能である請求項１に記載の水栓。
【請求項３】
前記区画部材は、内部に流路を有する筒状部と、前記本体部に水密に接続される第１接続部と、前記第２吐出口の内周に水密に接続される第２接続部とを有する請求項２に記載の水栓。
【請求項４】
前記区画部材は、前記ボデーの外側から取り外す際に、取り外し治具が係合可能な係合部を有する請求項２又は３に記載の水栓。
【請求項５】
前記第１流路穴と前記第２流路穴は、同一円周上に設けられている請求項１〜４のいずれか一項に記載の水栓。
【発明の詳細な説明】
【技術分野】
【０００１】
本発明は、切換弁を備える水栓に関する。
【背景技術】
【０００２】
特許文献１には、図１２に示すように、外ハウジング６１と内ハウジング６２の内部に切替弁ユニット６３が挿入された水栓６０について記載されている。外ハウジング６１と内ハウジング６２は、シャワー側の流出用開口６４とカラン側の流出用開口６５を有し、外ハウジング６１と内ハウジング６２の各開口６４、６５が、接続部材６６によって水密に接続されていることにより、シャワー側の流路とカラン側の流路とが分断されている。
【先行技術文献】
【特許文献】
【０００３】
【特許文献１】特開２０１２−２２９７５８号公報
【発明の概要】
【発明が解決しようとする課題】
【０００４】
ところで、特許文献１等の水栓では、シャワー側の流路とカラン側の流路を分断するために、両方の流路に接続部材等の中間部材を配置する必要があった。そのため、水栓の構造が複雑化するとともに、組付性も低下するという問題があった。本発明は、こうした実情に鑑みてなされたものであり、その目的は、構造の簡素化と組付性の向上を達成した水栓を提供することにある。
【課題を解決するための手段】
【０００５】
上記課題を解決するための水栓は、周面に第１吐出口と第２吐出口を有する筒状のボデーと、前記ボデーの内部に配置されて前記第１吐出口と前記第２吐出口からの吐止水を切り換える切換弁とを備える水栓において、前記切換弁は、周面に第１流路穴と第２流路穴を有する筒状の本体部と、前記本体部の周面から突出して前記第２吐出口内に挿入されるとともに、前記ボデーの内周と前記本体部の外周との間の空間を、前記第１流路穴から前記第１吐出口へ流れる外側流路と、前記第２流路穴から前記第２吐出口へ流れる内側流路とに区画する区画管とを備えることを要旨とする。
【０００６】
この構成によれば、第２吐出口内に挿入された区画管によって、ボデーの内周と本体部の外周との間の空間を、第１流路穴から第１吐出口へ流れる外側流路と、第２流路穴から第２吐出口へ流れる内側流路とに区画することができるため、水栓の構成を簡素化することができる。また、水栓の構成を簡素化することにより、水栓の組付性が向上する。
【０００７】
上記水栓について、前記区画管は、前記本体部と別体に形成された区画部材により構成されるとともに、前記本体部に対して前記第２吐出口を介して前記ボデーの外側から取り付け可能であることが好ましい。この構成によれば、本体部をボデーの内部に配置した状態で、第２吐出口を介してボデーの外側から区画部材を取り付けることができるため、水栓の組付性が向上する。
【０００８】
上記水栓について、前記区画部材は、内部に流路を有する筒状部と、前記本体部に水密に接続される第１接続部と、前記第２吐出口の内周に水密に接続される第２接続部とを有することが好ましい。この構成によれば、第１接続部を本体部に水密に接続し、第２接続部を第２吐出口の内周に水密に接続した状態で、筒状部の内部を流路として活用することができる。したがって、区画部材の構成を簡易なものにすることができる。
【０００９】
上記水栓について、前記区画部材は、前記ボデーの外側から取り外す際に、取り外し治具が係合可能な係合部を有することが好ましい。この構成によれば、取り外し治具を係合部に係合させることにより、区画部材を容易に取り外すことができる。
【００１０】
上記水栓について、前記第１流路穴と前記第２流路穴は、同一円周上に設けられていることが好ましい。この構成によれば、異なる円周上に複数の流路穴が設けられている態様に比べて、切換弁の軸方向の寸法を小さくすることができる。したがって、水栓を小型化することができる。
【発明の効果】
【００１１】
本発明によれば、水栓の構造を簡素化し、組付性を向上させることができる。
【図面の簡単な説明】
【００１２】
【図１】本実施形態の切換弁を備える水栓の斜視図。
【図２】図１の水栓におけるボデーと切換弁の斜視図。
【図３】（ａ）切換弁の斜視図、（ｂ）切換弁の断面図、（ｃ）切換弁の本体部と区画部材の斜視図。
【図４】図１の水栓におけるボデーと、切換弁を構成する本体部と区画部材の正面図。
【図５】図１の水栓におけるボデーと切換弁の正面図。
【図６】水栓の部分断面図（図２の６−６線断面図）。
【図７】水栓の部分斜視断面図（図６の７−７線断面図）。
【図８】図２の水栓における裏側の斜視図。
【図９】変更例の区画部材の斜視図。
【図１０】変更例の水栓の部分断面図。
【図１１】別の変更例の水栓の部分断面図。
【図１２】従来技術の水栓の正面図。
【発明を実施するための形態】
【００１３】
以下、本発明の一実施形態を説明する。
図１、２に示すように、水栓１０は、浴室の壁面１１に設置されている。浴室には、壁面１１から突出するように湯用配管１２と水用配管１３とが設けられている。水栓１０は、筒状の金属製のボデー２０を備え、ボデー２０の周面に第１吐出口２１及び第２吐出口２２を有する。第１吐出口２１と第２吐出口２２は、ボデー２０の同一円周上（軸線方向における同じ位置）に設けられている。ここで、同一円周上とは、軸方向の位置が完全に一致した状態で設けられた態様のみを意味するのではなく、軸方向の位置が一部重なった状態で設けられた態様をも含むものとする。ボデー２０は、ボデー２０に湯を流入させる給湯管３０と、ボデー２０に水を流入させる給水管３１とを有する。
【００１４】
図２に示すように、ボデー２０は、水栓１０が壁面１１に設置された状態で、水平方向に延びるように設けられている。第１吐出口２１は、水栓１０が壁面１１に設置された状態で、ボデー２０から水平方向に吐出するように設けられるとともに、エルボ管１４を介してシャワー用のホースに接続されている。第２吐出口２２は、水栓１０が壁面１１に設置された状態で、ボデー２０から鉛直方向に吐出するように設けられるとともに、カラン用の吐水管１５に接続されている。ボデー２０は、図１に示すように、給湯管３０の一端側が湯用配管１２に接続されるとともに、給水管３１の一端側が水用配管１３に接続されることにより、壁面１１に固定されている。
【００１５】
図２に示すように、水栓１０は、第１吐出口２１及び第２吐出口２２からの吐止水を切り換える切換弁４０を備えている。ボデー２０の一方の端部側（図面の紙面右側）には、切換弁４０を操作して、混合水の吐止水を切り換える切換ハンドル２３が配置されている。ボデーの他方の端部側（図面の紙面左側）には、混合水の温度を調節する温調ハンドル２４が配置されている。ボデー２０はカバー２５によって覆われており、カバー２５の一方側から切換ハンドル２３が露出しているとともに、カバー２５の他方側から温調ハンドル２４が露出している。
【００１６】
図３（ａ）〜（ｃ）に示すように、切換弁４０は、筒状の本体部４０Ａと、本体部４０Ａの周面から径方向外方に突出する筒状の区画管４４とを有している。本体部４０Ａの周面には、第１流路穴４１と第２流路穴４２が設けられている。第１流路穴４１と第２流路穴４２は、本体部４０Ａの同一円周上（軸線方向における同じ位置）において互いに略１８０°離れた領域に設けられている。
【００１７】
本体部４０Ａの内部には、第１流路穴４１と第２流路穴４２を通る流路の切り換えや、吐止水を行う弁体４８が設けられている。本体部４０Ａの軸方向における２箇所の外周には、全周に亘ってシール部材４３が配置されている。２箇所のシール部材４３の間に、第１流路穴４１と第２流路穴４２が設けられている。すなわち、第１流路穴４１と第２流路穴４２は、２つのシール部材４３に挟まれる位置に設けられている。シール部材４３としては、例えば、Ｏリングを用いることができる。
【００１８】
区画管４４は、本体部４０Ａの周面における第２流路穴４２を囲む位置から径方向外方に突出している。区画管４４は、本体部４０Ａと別体に形成された区画部材４０Ｂからなり、本体部４０Ａの周面に設けられた環状の取付部４９に対して着脱可能に構成されている。
【００１９】
図３（ａ）〜（ｃ）に示すように、区画部材４０Ｂは、内部に流路が形成されている筒状部４５を有する。筒状部４５の一端側には、その外周に環状のシール部材４６が配置された第１接続部４５Ａが設けられるとともに、筒状部４５の他端側には、その外周に環状のシール部材４６が配置された第２接続部４５Ｂが設けられている。環状のシール部材４６としては、例えば、Ｏリングを用いることができる。区画部材４０Ｂは、本体部４０Ａの取付部４９に、第１接続部４５Ａが挿入されることにより本体部４０Ａに取り付けられる。第１接続部４５Ａの外周に配置されたシール部材４６は、区画部材４０Ｂと本体部４０Ａとの間を水密に封止する。
【００２０】
図４、５に示すように、切換弁４０の本体部４０Ａは、ボデー２０の一方側の端部Ｅに設けられた開口部３２に挿入され、固定具２６によってボデー２０に固定される。本体部４０Ａが取り付けられた状態において、２箇所のシール部材４３の間に、第１吐出口２１と第２吐出口２２が位置する構成となっている。すなわち、第１吐出口２１と第２吐出口２２は、２つのシール部材４３に挟まれる位置に設けられている。
【００２１】
図４、５に示すように、区画部材４０Ｂは、本体部４０Ａがボデー２０に取り付けられた状態で、ボデー２０の外側から第２吐出口２２に挿入されることにより、本体部４０Ａに取り付けることができる。すなわち、本体部４０Ａがボデー２０に取り付けられた状態において、本体部４０Ａの取付部４９とボデー２０の第２吐出口２２は、ボデー２０の径方向において重なるように構成されている。そのため、第２吐出口２２を介してボデー２０の外側から区画部材４０Ｂを挿入することにより、区画部材４０Ｂを本体部４０Ａの取付部４９に取り付けることができる。
【００２２】
このとき、図６、７に示すように、区画部材４０Ｂの第２接続部４５Ｂは、ボデー２０の第２吐出口２２内に配置される。そして、第２接続部４５Ｂの外周に配置されたシール部材４６は、区画部材４０Ｂと、第２吐出口２２の内周との間を水密に封止する。図６に示すように、区画部材４０Ｂは、第２吐出口２２の内部に全体が収容された状態で本体部４０Ａに取り付けられる。区画部材４０Ｂの全体が収容されていることにより、第２吐出口２２にカラン用の吐水管１５を接続する際に、区画部材４０Ｂとの干渉を考慮することなく、吐水管１５を取り付けることができる。
【００２３】
図８に示すように、区画部材４０Ｂの第２接続部４５Ｂ側の内周には、流路の径方向に延びる壁状の係合部４７が形成されている。この係合部４７に治具を係合させることにより、区画部材４０Ｂを第２吐出口２２から取り外すことができる。取り外し治具としては、例えば、係合部４７の両面を摘んだ状態で係合する治具を用いてもよいし、係合部４７の片面に当接した状態で係合部４７に係合する治具を用いてもよい。
【００２４】
図６、７に示すように、ボデー２０に切換弁４０が取り付けられた状態で、本体部４０Ａの外周に設けられた２箇所のシール部材４３は、ボデー２０の内面に全周に亘って当接する。２箇所のシール部材４３がボデー２０の内面に全周に亘って当接することにより、ボデー２０の内周と本体部４０Ａの外周との間には、２箇所のシール部材４３の間において全周に亘って水密に封止された通水空間Ｒが設けられる。ここで、第１吐出口２１、第２吐出口２２、第１流路穴４１、及び、第２流路穴４２は、通水空間Ｒに開口した構成となっている。そして、通水空間Ｒは、区画部材４０Ｂによって、第２流路穴４２から第２吐出口２２へ流れる区画部材４０Ｂの内側の流路（内側流路）を水密に区画すると、同時に、第１流路穴４１から第１吐出口２１へ流れる区画部材４０Ｂの外側の流路（外側流路）とに水密に区画される。
【００２５】
本実施形態の作用及び効果を説明する。
（１）第２吐出口２２内に挿入された区画部材４０Ｂによって、ボデー２０の内周と本体部４０Ａの外周との間の空間を、第１流路穴４１から第１吐出口２１へ流れる外側流路と、第２流路穴４２から第２吐出口２２へ流れる内側流路とに区画することができる。これにより、シャワー用の流路とカラン用の流路とを分断するために複数の中間部材を配置する必要がないため、金属製のボデー２０の構造を簡素化することができる。したがって、水栓１０の構成を簡素化することができるとともに、水栓１０の組付性が向上する。
【００２６】
（２）区画部材４０Ｂは、本体部４０Ａと別体に形成されるとともに、本体部４０Ａに対して第２吐出口２２を介してボデー２０の外側から取り付け可能である。したがって、区画部材４０Ｂの組付性が向上する。
【００２７】
（３）区画部材４０Ｂは、内部に流路を有する筒状部４５と、本体部４０Ａに水密に接続される第１接続部４５Ａと、第２吐出口２２の内周に水密に接続される第２接続部４５Ｂとを有する。これにより、第１接続部４５Ａを本体部４０Ａに水密に接続し、第２接続部４５Ｂを第２吐出口２２の内周に水密に接続した状態で、筒状部４５の内部を流路として活用することができる。したがって、区画部材４０Ｂの構成を簡易なものにすることができる。
【００２８】
（４）区画部材４０Ｂは、ボデー２０の外側から取り外す際に、取り外し治具が係合可能な係合部４７を有することにより、区画部材４０Ｂを容易に取り外すことができる。
（５）第１流路穴４１と第２流路穴４２は、同一円周上に設けられている。これにより、異なる円周上に複数の流路穴が設けられている態様に比べて、切換弁４０の軸方向の寸法を小さくすることができる。したがって、水栓１０を小型化することができる。
【００２９】
本実施形態は、次のように変更して実施することも可能である。また、上記実施形態の構成や以下の変更例に示す構成を適宜組み合わせて実施することも可能である。
・区画管４４（区画部材４０Ｂ）を、本体部４０Ａの周面における第１流路穴４１を囲む位置から径方向外方に突出するように設けてもよい。この場合、通水空間Ｒを、第１流路穴４１から第１吐出口２１へ流れる区画部材４０Ｂの内側の流路（内側流路）と、第２流路穴４２から第２吐出口２２へ流れる区画部材４０Ｂの外側の流路（外側流路）とに区画する。
【００３０】
・区画管４４は、本体部４０Ａに一体に形成されていてもよい。この場合、本体部４０Ａを、ボデー２０の一方側の端部Ｅに設けられた開口部３２から挿入した際、区画管４４が第２吐出口２２の内周に当接するように構成する。
【００３１】
・第１流路穴４１と第２流路穴４２は、ボデー２０の内周と切換弁４０の外周との間が全周に亘って水密に封止される２箇所のシール部材４３の間に設けられていれば、同一円周上に設けられていなくてもよい。また、第１吐出口２１と第２吐出口２２も同様である。
【００３２】
・区画部材４０Ｂの係合部４７は壁状に限定されない。例えば、図９に示すように、区画部材４０Ｂの内周に凸状の係合部４７を設けることによって、凸状部分に取り外し治具が係合するようにしてもよい。また、区画部材４０Ｂは、吐出口から流路穴に指や治具を挿入して取り外すことができれば、係合部４７を有していなくてもよい。
【００３３】
・区画部材４０Ｂは、本体部４０Ａの取付部４９に、第１接続部４５Ａが挿入されることにより本体部４０Ａに取り付けられる態様に限定されない。例えば、図１０に示すように、シール部材４６を区画部材４０Ｂの内周に取り付け、本体部４０Ａの取付部４９の外周に区画部材４０Ｂが取り付けられる態様としてもよい。
【００３４】
・図１１に示すように、本体部４０Ａの径方向において、区画部材４０Ｂと本体部４０Ａとの間にシール部材４６を挟み込むことによって、区画部材４０Ｂが本体部４０Ａに取り付けられる態様であってもよい。この場合、区画部材４０Ｂと本体部４０Ａに挟み込まれるシール部材４６は、Ｏリングでもよいし、パッキンでもよい。
【符号の説明】
【００３５】
１０…水栓、２０…ボデー、２１…第１吐出口、２２…第２吐出口、４０…切換弁、４０Ａ…本体部、４０Ｂ…区画部材、４１…第１流路穴、４２…第２流路穴、４４…区画管。
【図１】
2018096498.tif 000003
【図２】
2018096498.tif 000004
【図３】
2018096498.tif 000005
【図４】
2018096498.tif 000006
【図５】
2018096498.tif 000007
【図６】
2018096498.tif 000008
【図７】
2018096498.tif 000009
【図８】
2018096498.tif 000010
【図９】
2018096498.tif 000011
【図１０】
2018096498.tif 000012
【図１１】
2018096498.tif 000013
【図１２】
2018096498.tif 000014